(57)【要約】【課題】  印刷しようとするテープの幅とは異なるテープ幅に対応するレイアウトデータを流用する場合にも、容易に印刷画像を形成することが可能なテープ印刷システムを提供する。【解決手段】  制御部は、レイアウトデータが対応するテープ幅と、ユーザによって設定されたテープ幅（印刷しようとするテープの幅）とが一致しない場合に、設定されたテープ幅に合わせてレイアウトデータの各要素（文字列等）の配置を変更する。具体的には、設定されたテープ幅よりも狭いテープ幅に対応するレイアウトデータが選択された場合には、テープ幅方向の要素間の間隔が、レイアウトデータに基づいた間隔よりも広くなるように各要素の属性情報を変更し、設定されたテープ幅よりも広いテープ幅に対応するレイアウトデータが選択された場合には、間隔が、レイアウトデータに基づいた間隔よりも狭くなるように属性情報を変更する。【選択図】  図７
2007036327.tif 000002
【特許請求の範囲】
【請求項１】
画像データを形成して供給する画像供給手段と、前記画像供給手段から供給された画像データに基づいて、テープに画像を印刷する画像印刷手段とを有するテープ印刷システムであって、
前記画像供給手段は、
印刷対象とするテープの幅を入力するテープ幅入力手段と、
所定の幅のテープに対する前記画像の配置が規定された複数のレイアウトデータを記憶するレイアウト記憶手段と、
前記複数のレイアウトデータの中から、１つのレイアウトデータを選択させて、選択された前記レイアウトデータを前記レイアウト記憶手段から読み出すレイアウト選択手段と、
選択された前記レイアウトデータに基づいて、前記画像データを形成する画像形成手段と、
を備え、
前記画像形成手段は、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更することを特徴とするテープ印刷システム。
【請求項２】
請求項１に記載のテープ印刷システムであって、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更するか否かを問い合わせる配置変更確認手段を備え、前記画像形成手段は、前記配置変更確認手段による確認結果に応じて配置変更を実施することを特徴とするテープ印刷システム。
【請求項３】
画像データを形成して供給する画像供給手段と、前記画像供給手段から供給された前記画像データに基づいて、テープに画像を印刷する画像印刷手段とを有するテープ印刷システムであって、
前記画像供給手段は、
前記テープに対する前記画像の向きを入力する画像方向入力手段と、
前記テープに対する前記画像の配置及び向きが規定された複数のレイアウトデータを記憶するレイアウト記憶手段と、
前記複数のレイアウトデータの中から、１つのレイアウトデータを選択させて、選択された前記レイアウトデータを前記レイアウト記憶手段から読み出すレイアウト選択手段と、
選択された前記レイアウトデータに基づいて、前記画像データを形成する画像形成手段と、
を備え、
前記画像形成手段は、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更することを特徴とするテープ印刷システム。
【請求項４】
請求項３に記載のテープ印刷システムであって、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更するか否かを問い合わせる画像方向変更確認手段を備え、前記画像形成手段は、前記画像方向変更確認手段による確認結果に応じて方向変換を実施することを特徴とするテープ印刷システム。
【請求項５】
画像データを形成するとともに、前記画像データに応じた画像をテープに印刷するために、前記画像データを外部に供給する画像供給装置であって、
印刷対象とするテープの幅を入力するテープ幅入力手段と、
所定の幅のテープに対する前記画像の配置が規定された複数のレイアウトデータを記憶するレイアウト記憶手段と、
前記複数のレイアウトデータの中から、１つのレイアウトデータを選択させて、選択された前記レイアウトデータを前記レイアウト記憶手段から読み出すレイアウト選択手段と、
選択された前記レイアウトデータに基づいて、前記画像データを形成する画像形成手段と、
を備え、
前記画像形成手段は、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更することを特徴とする画像供給装置。
【請求項６】
請求項５に記載の画像供給装置であって、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更するか否かを問い合わせる配置変更確認手段を備え、前記画像形成手段は、前記配置変更確認手段による確認結果に応じて配置変更を実施することを特徴とする画像供給装置。
【請求項７】
画像データを形成するとともに、前記画像データに応じた画像をテープに印刷するために、前記画像データを外部に供給する画像供給装置であって、
前記テープに対する前記画像の向きを入力する画像方向入力手段と、
前記テープに対する前記画像の配置及び向きが規定された複数のレイアウトデータを記憶するレイアウト記憶手段と、
前記複数のレイアウトデータの中から、１つのレイアウトデータを選択させて、選択されたレイアウトデータを前記レイアウト記憶手段から読み出すレイアウト選択手段と、
選択された前記レイアウトデータに基づいて、前記画像データを形成する画像形成手段と、
を備え、
前記画像形成手段は、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更することを特徴とする画像供給装置。
【請求項８】
請求項７に記載の画像供給装置であって、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更するか否かを問い合わせる画像方向変更確認手段を備え、前記画像形成手段は、前記画像方向変更確認手段による確認結果に応じて方向変換を実施することを特徴とする画像供給装置。
【請求項９】
画像データを形成するとともに、前記画像データに応じた画像をテープに印刷するために、前記画像データを外部に供給する画像供給装置の画像形成方法であって、
印刷対象とするテープの幅を入力するテープ幅入力工程と、
所定の幅のテープに対する前記画像の配置が規定された複数のレイアウトデータの中から、１つのレイアウトデータを選択させるレイアウト選択工程と、
選択された前記レイアウトデータに基づいて、前記画像データを形成する画像形成工程と、
を備え、
前記画像形成工程は、前記テープ幅入力工程において入力したテープ幅と、選択された前記レイアウトデータが対応するテープ幅とが異なる場合に、前記レイアウトデータで規定された配置を、前記テープ幅入力工程において入力したテープ幅に応じて変更することを特徴とする画像形成方法。
【請求項１０】
画像データを形成するとともに、前記画像データに応じた画像をテープに印刷するために、前記画像データを外部に供給する画像供給装置の画像形成方法であって、
前記テープに対する前記画像の向きを入力する画像方向入力工程と、
前記テープに対する前記画像の配置及び向きが規定された複数のレイアウトデータの中から、１つのレイアウトデータを選択させるレイアウト選択工程と、
選択された前記レイアウトデータに基づいて、前記画像データを形成する画像形成工程と、
を備え、
前記画像形成工程は、前記画像方向入力工程において入力した画像の向きと、選択された前記レイアウトデータで規定された画像の向きとが異なる場合に、前記レイアウトデータで規定された画像の向きを、前記画像方向入力手段において入力した向きに変更することを特徴とする画像形成方法。
【請求項１１】
請求項９又は１０に記載の画像形成方法の各工程をコンピュータが実行可能なコードで記述していることを特徴とするプログラム。
【発明の詳細な説明】
【技術分野】
【０００１】
本発明は、画像データを形成し、当該画像データに応じた画像をテープに印刷するテープ印刷システム、画像供給装置、画像形成方法、及びプログラムに関する。
【背景技術】
【０００２】
従来、文字や記号等からなる画像をテープに印刷するテープ印刷システムには、印刷画像の作成を補助するために、複数のレイアウトデータ（デザインフォームともいう）が保持されている（例えば、特許文献１）。レイアウトデータは、サンプルとなる画像を格納するとともに、当該画像の配置や向きを規定するデータであり、レイアウトデータを用いることにより、例えば、ビデオテープ等のタイトル表示用等、特定の用途に適したレイアウトの印刷画像を容易に形成することが可能となっている。このため、ユーザが印刷画像を形成する際には、所望のレイアウトデータを選択した後、例えば、ビデオのタイトル等を変更するだけで、ビデオテープのタイトル表示に適したレイアウトのテープを作成することが可能となる。ここで、各レイアウトデータは、所定の幅のテープにのみ対応しているため、ユーザは印刷しようとするテープの幅に対応したレイアウトデータを選択する必要がある。
【０００３】
【特許文献１】特開２００３−８５１６１号公報
【発明の開示】
【発明が解決しようとする課題】
【０００４】
しかしながら、所望のレイアウトデータが、印刷しようとするテープの幅に対応していない場合には、ユーザは、前記レイアウトデータを選択した後、印刷しようとするテープの幅に合わせて画像の配置等を修正するか、或いは、印刷画像を一から作成しなければならなかった。また、レイアウトデータが規定する画像の向きとは異なる向きで印刷を行いたい場合にも、レイアウトデータを選択した後に画像を回転させる等の修正作業を行うか、或いは、印刷画像を一から作成しなければならないという問題を有していた。
【０００５】
本発明は上記問題を鑑みてなされたものであり、その第１の目的は、印刷しようとするテープの幅とは異なるテープ幅に対応するレイアウトデータを流用する場合にも、容易に印刷画像を形成することが可能なテープ印刷システム、画像供給装置、画像形成方法、及びプログラムを提供することにある。また、本発明の第２の目的は、規定する画像の向きが、所望の向きとは異なるレイアウトデータを流用する場合にも、容易に印刷画像を形成することが可能なテープ印刷システム、画像供給装置、画像形成方法、及びプログラムを提供することにある。
【課題を解決するための手段】
【０００６】
本発明のテープ印刷システムは、画像データを形成して供給する画像供給手段と、前記画像供給手段から供給された画像データに基づいて、テープに画像を印刷する画像印刷手段とを有するテープ印刷システムであって、前記画像供給手段は、印刷対象とするテープの幅を入力するテープ幅入力手段と、所定の幅のテープに対する前記画像の配置が規定された複数のレイアウトデータを記憶するレイアウト記憶手段と、前記複数のレイアウトデータの中から、１つのレイアウトデータを選択させて、選択された前記レイアウトデータを前記レイアウト記憶手段から読み出すレイアウト選択手段と、選択された前記レイアウトデータに基づいて、前記画像データを形成する画像形成手段とを備え、前記画像形成手段は、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更することを特徴とする。
【０００７】
このテープ印刷システムによれば、画像形成手段が、テープ幅入力手段が入力したテープ幅と、選択されたレイアウトデータが対応するテープ幅とが異なる場合に、レイアウトデータで規定された配置を、テープ幅入力手段が入力したテープ幅に応じて変更するため、印刷しようとするテープの幅とは異なるテープ幅に対応するレイアウトデータを流用する場合にも、容易に印刷画像を形成することが可能となる。
【０００８】
このテープ印刷システムにおいて、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更するか否かを問い合わせる配置変更確認手段を備え、前記画像形成手段は、前記配置変更確認手段による確認結果に応じて配置変更を実施することが望ましい。
【０００９】
このテープ印刷システムによれば、画像の配置を、入力されたテープ幅に応じて変更する前に、変更するか否かを問い合わせるため、意図しない変更がなされることを防止することが可能となる。
【００１０】
本発明のテープ印刷システムは、画像データを形成して供給する画像供給手段と、前記画像供給手段から供給された前記画像データに基づいて、テープに画像を印刷する画像印刷手段とを有するテープ印刷システムであって、前記画像供給手段は、前記テープに対する前記画像の向きを入力する画像方向入力手段と、前記テープに対する前記画像の配置及び向きが規定された複数のレイアウトデータを記憶するレイアウト記憶手段と、前記複数のレイアウトデータの中から、１つのレイアウトデータを選択させて、選択された前記レイアウトデータを前記レイアウト記憶手段から読み出すレイアウト選択手段と、選択された前記レイアウトデータに基づいて、前記画像データを形成する画像形成手段とを備え、前記画像形成手段は、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更することを特徴とする。
【００１１】
このテープ印刷システムによれば、画像形成手段が、画像方向入力手段が入力した画像の向きと、選択されたレイアウトデータが規定する画像の向きとが異なる場合に、レイアウトデータで規定された画像の向きを、画像方向入力手段が入力した向きに変更するため、画像の向きが、所望の向きとは異なる向きに規定されたレイアウトデータを流用する場合にも、容易に印刷画像を形成することが可能となる。
【００１２】
このテープ印刷システムにおいて、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更するか否かを問い合わせる画像方向変更確認手段を備え、前記画像形成手段は、前記画像方向変更確認手段による確認結果に応じて方向変換を実施することが望ましい。
【００１３】
このテープ印刷システムによれば、レイアウトデータで規定された画像の向きを、入力された画像の向きに合わせて変更する前に、変更するか否かを問い合わせるため、意図しない変更がなされることを防止することが可能となる。
【００１４】
本発明の画像供給装置は、画像データを形成するとともに、前記画像データに応じた画像をテープに印刷するために、前記画像データを外部に供給する画像供給装置であって、印刷対象とするテープの幅を入力するテープ幅入力手段と、所定の幅のテープに対する前記画像の配置が規定された複数のレイアウトデータを記憶するレイアウト記憶手段と、前記複数のレイアウトデータの中から、１つのレイアウトデータを選択させて、選択された前記レイアウトデータを前記レイアウト記憶手段から読み出すレイアウト選択手段と、選択された前記レイアウトデータに基づいて、前記画像データを形成する画像形成手段とを備え、前記画像形成手段は、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更することを特徴とする。
【００１５】
この画像供給装置によれば、画像形成手段が、テープ幅入力手段が入力したテープ幅と、選択されたレイアウトデータが対応するテープ幅とが異なる場合に、レイアウトデータで規定された配置を、テープ幅入力手段が入力したテープ幅に応じて変更するため、印刷しようとするテープの幅とは異なるテープ幅に対応するレイアウトデータを流用する場合にも、容易に印刷画像を形成することが可能となる。
【００１６】
この画像供給装置において、前記テープ幅入力手段が入力したテープ幅と、選択された前記レイアウトデータが対応するテープ幅とが異なる場合に、前記レイアウトデータで規定された配置を、前記テープ幅入力手段が入力したテープ幅に応じて変更するか否かを問い合わせる配置変更確認手段を備え、前記画像形成手段は、前記配置変更確認手段による確認結果に応じて配置変更を実施することが望ましい。
【００１７】
この画像供給装置によれば、画像の配置を、入力されたテープ幅に応じて変更する前に、変更するか否かを問い合わせるため、意図しない変更がなされることを防止することが可能となる。
【００１８】
本発明の画像供給装置は、画像データを形成するとともに、前記画像データに応じた画像をテープに印刷するために、前記画像データを外部に供給する画像供給装置であって、前記テープに対する前記画像の向きを入力する画像方向入力手段と、前記テープに対する前記画像の配置及び向きが規定された複数のレイアウトデータを記憶するレイアウト記憶手段と、前記複数のレイアウトデータの中から、１つのレイアウトデータを選択させて、選択されたレイアウトデータを前記レイアウト記憶手段から読み出すレイアウト選択手段と、選択された前記レイアウトデータに基づいて、前記画像データを形成する画像形成手段とを備え、前記画像形成手段は、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更することを特徴とする。
【００１９】
この画像供給装置によれば、画像形成手段が、画像方向入力手段が入力した画像の向きと、選択されたレイアウトデータが規定する画像の向きとが異なる場合に、レイアウトデータで規定された画像の向きを、画像方向入力手段が入力した向きに変更するため、画像の向きが、所望の向きとは異なる向きに規定されたレイアウトデータを流用する場合にも、容易に印刷画像を形成することが可能となる。
【００２０】
この画像供給装置において、前記画像方向入力手段が入力した画像の向きと、選択された前記レイアウトデータで規定された画像の向きとが異なる場合に、前記レイアウトデータで規定された画像の向きを、前記画像方向入力手段が入力した向きに変更するか否かを問い合わせる画像方向変更確認手段を備え、前記画像形成手段は、前記画像方向変更確認手段による確認結果に応じて方向変換を実施することが望ましい。
【００２１】
この画像供給装置によれば、レイアウトデータで規定された画像の向きを、入力された画像の向きに合わせて変更する前に、変更するか否かを問い合わせるため、意図しない変更がなされることを防止することが可能となる。
【００２２】
本発明の画像形成方法は、画像データを形成するとともに、前記画像データに応じた画像をテープに印刷するために、前記画像データを外部に供給する画像供給装置の画像形成方法であって、印刷対象とするテープの幅を入力するテープ幅入力工程と、所定の幅のテープに対する前記画像の配置が規定された複数のレイアウトデータの中から、１つのレイアウトデータを選択させるレイアウト選択工程と、選択された前記レイアウトデータに基づいて、前記画像データを形成する画像形成工程とを備え、前記画像形成工程は、前記テープ幅入力工程において入力したテープ幅と、選択された前記レイアウトデータが対応するテープ幅とが異なる場合に、前記レイアウトデータで規定された配置を、前記テープ幅入力工程において入力したテープ幅に応じて変更することを特徴とする。
【００２３】
この画像形成方法によれば、画像形成工程において、テープ幅入力工程で入力したテープ幅と、選択されたレイアウトデータが対応するテープ幅とが異なる場合に、レイアウトデータで規定された配置を、テープ幅入力工程で入力したテープ幅に応じて変更するため、印刷しようとするテープの幅とは異なるテープ幅に対応するレイアウトデータを流用する場合にも、容易に印刷画像を形成することが可能となる。
【００２４】
本発明の画像形成方法は、画像データを形成するとともに、前記画像データに応じた画像をテープに印刷するために、前記画像データを外部に供給する画像供給装置の画像形成方法であって、前記テープに対する前記画像の向きを入力する画像方向入力工程と、前記テープに対する前記画像の配置及び向きが規定された複数のレイアウトデータの中から、１つのレイアウトデータを選択させるレイアウト選択工程と、選択された前記レイアウトデータに基づいて、前記画像データを形成する画像形成工程とを備え、前記画像形成工程は、前記画像方向入力工程において入力した画像の向きと、選択された前記レイアウトデータで規定された画像の向きとが異なる場合に、前記レイアウトデータで規定された画像の向きを、前記画像方向入力手段において入力した向きに変更することを特徴とする。
【００２５】
この画像形成方法によれば、画像形成工程において、画像方向入力工程で入力した画像の向きと、選択されたレイアウトデータが規定する画像の向きとが異なる場合に、レイアウトデータで規定された画像の向きを、画像方向入力工程で入力した向きに変更するため、画像の向きが、所望の向きとは異なる向きに規定されたレイアウトデータを流用する場合にも、容易に印刷画像を形成することが可能となる。
【００２６】
本発明のプログラムは、前記画像形成方法の各工程をコンピュータが実行可能なコードで記述していることを特徴とする。
【００２７】
このプログラムによれば、前記画像形成方法と同様の効果を得ることが可能となる。
【００２８】
また、本発明は、前記プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２９】
以下、本発明の実施形態に係るテープ印刷システムについて、図面を参照して説明する。本実施形態のテープ印刷システムは、パーソナルコンピュータ等の情報処理装置を用いて形成した画像データを、テープ印刷装置に送信し、画像データに応じた画像をテープに印刷するものである。
【００３０】
図１は、本実施形態のテープ印刷システムの全体構成を示すブロック図である。
図１に示すように、テープ印刷システム１は、パーソナルコンピュータＰＣ、ディスプレイＤＳ、キーボードＫＢ、マウスＭＳ等からなる情報処理システム２と、情報処理システム２との間で有線又は無線による通信が可能なテープ印刷装置３とを備えている。ここで、情報処理システム２は、印刷画像を表す画像データを形成するとともに、形成した画像データをテープ印刷装置３に送信する画像供給手段に相当し、テープ印刷装置３は、受信した画像データに応じた画像を印刷する画像印刷手段に相当する。
【００３１】
情報処理システム２におけるパーソナルコンピュータＰＣは、制御部２０、大容量記憶部２１、インターフェイス（Ｉ／Ｆ）部２２等を備えている。制御部２０は、ＣＰＵ（Central Processing Unit）２０ａ、ＲＯＭ（Read Only Memory）２０ｂ、ＲＡＭ（Random Access Memory）２０ｃ等からなり、ＣＰＵ２０ａが大容量記憶部２１からＲＡＭ２０ｃに読み込まれたプログラムに従って各種処理を実行することにより、パーソナルコンピュータＰＣの動作を統括制御する。
【００３２】
大容量記憶部２１は、例えば、ハードディスク装置によって構成され、ＯＳ（オペレーティングシステム）や、インストールされたアプリケーションプログラム、或いは、各種データ等を記憶する。本実施形態の大容量記憶部２１には、アプリケーションプログラムとして、画像データを形成してテープ印刷装置３に供給するためのテープ印刷プログラムがインストールされているとともに、テープ印刷プログラムを実行する際に参照される各種データが記憶されている。
【００３３】
Ｉ／Ｆ部２２は、有線又は無線通信により外部の周辺機器との間で通信が可能になっており、本実施形態では、ディスプレイＤＳやキーボードＫＢ、マウスＭＳ等の入出力装置が接続されている。また、Ｉ／Ｆ部２２には、テープ印刷装置３が接続されており、例えば、ＵＳＢ（Universal Serial Bus）規格に基づいて、テープ印刷装置３との間でデータの送受信が可能になっている。
【００３４】
ディスプレイＤＳは、ＣＲＴ（陰極線管）ディスプレイや液晶ディスプレイ等が該当し、制御部２０の制御に基づいて画像を表示する。キーボードＫＢは、文字や制御情報等の入力に用いられ、マウスＭＳは、ディスプレイＤＳに表示されるカーソルを移動させたり、アイコンやメニューを選択したりするためのポインティングデバイスである。なお、マウスＭＳに代えて、他のポインティングデバイスを適用しても良く、さらには、ディスプレイＤＳやキーボードＫＢ、ポインティングデバイス等を一体的に備えるノートパソコン等を情報処理システム２として用いることも可能である。
【００３５】
パーソナルコンピュータＰＣに電源が投入されると、ＣＰＵ２０ａは、ＲＯＭ２０ｂに記憶された起動プログラムに従ってブート処理を行い、大容量記憶部２１に記憶されているＯＳをＲＡＭ２０ｃに読み込んで、ユーザによる各種操作が可能な状態となる。その後、ユーザがキーボードＫＢやマウスＭＳを操作して特定のアプリケーションプログラム（例えば、テープ印刷プログラム）の実行を指示すると、ＣＰＵ２０ａは、大容量記憶部２１に記憶された複数のアプリケーションプログラムの中から、指定されたアプリケーションプログラムをＲＡＭ２０ｃに読み込んで、当該プログラムに従った動作を行う。
【００３６】
大容量記憶部２１にインストールされたテープ印刷プログラムは、大きくは、画像編集プログラムと、プリンタドライバとからなっている。画像編集プログラムは、印刷画像の作成や編集を行うためのプログラムであり、テープに印刷する印刷画像を構成する各要素（文字列や記号等）の入力や削除、修正等を行わせたり、その内容（編集データ）をファイルとして入出力させたりする等の編集機能を担っている。プリンタドライバは、テープ印刷装置３に対する駆動処理を行うプログラムであり、編集データをドット展開して画像データに変換したり、その画像データを、テープ印刷装置３に転送させたりする機能等を担っている。
【００３７】
テープ印刷装置３は、パーソナルコンピュータＰＣから転送されてきた画像データに基づいて、装填されているテープに画像を印刷するものであり、制御部３０、通信部３１、サーマルヘッド３２、ヘッド駆動部３３、テープ搬送機構３４及びテープ搬送駆動部３５等を備えている。
【００３８】
テープ印刷装置３における制御部３０は、例えば、ＣＰＵ３０ａ、ＲＯＭ３０ｂ、ＲＡＭ３０ｃ等で構成されており、ＣＰＵ３０ａが、ＲＯＭ３０ｂに記憶された制御プログラムに従い、ＲＡＭ３０ｃを一時メモリとして使用しながら各種処理を実行することにより、テープ印刷装置３の各種動作を制御する。
【００３９】
通信部３１は、例えば、ＵＳＢ接続によってパーソナルコンピュータＰＣと通信可能になっており、パーソナルコンピュータＰＣで作成された画像データを受信して、制御部３０に出力することができる。
【００４０】
サーマルヘッド３２は、当該テープ印刷装置３に装填された図示しないテープカートリッジ内のテープに対して、当該テープカートリッジ内に備わるインクリボンのインクを転写させるものであり、ヘッド駆動部３３は、制御部３０の制御に基づいて、サーマルヘッド３２の各発熱素子を適宜オン駆動するものである。
【００４１】
テープ搬送機構３４は、前記テープカートリッジ内のテープ及びインクリボンを走行させたり停止させたりする機構であり、テープをテープカートリッジの内部から外部へと走行させるとともに、インクリボンに関してはテープカートリッジ内を走行させる。テープ搬送駆動部３５は、制御部３０の制御に基づいて、テープ搬送機構３４を駆動する。
【００４２】
また、テープ印刷装置３は、テープの幅や色が異なる複数種類のテープカートリッジに対応可能になっており、ユーザは、用途や好みに応じたテープカートリッジを装填することができる。
【００４３】
なお、印刷済みのテープを自動的に切断する機構やその駆動部等がテープ印刷装置３に設けられていても良い。さらに、テープ印刷装置３は、自ら画像データを生成するために操作部や表示部等を備え、スタンドアロンの形態でも使用可能な構成であってもよい。
【００４４】
次に、本実施形態のテープ印刷システム１により、印刷画像を作成する際の動作について図面を参照して説明する。
図２〜図６は、印刷画像を作成する際にディスプレイＤＳに表示される画面を示す説明図である。ユーザが、パーソナルコンピュータＰＣの電源を投入し、ＯＳが起動した後、画像編集プログラムを選択・実行すると、制御部２０は、当該プログラムに従って図２に示す編集用画面ＰＥをディスプレイＤＳに表示させる。
【００４５】
図２に示すように、編集用画面ＰＥは、プログラムのタイトル等を表示するタイトルバーＢ１の下に、メニューバーＢ２、及びツールバーＢ３を備え、さらにその下方には、作業領域ＷＲを備えている。
【００４６】
メニューバーＢ２には、「ファイル(F)」、「編集(E)」、「表示(V)」等の項目名が並んでおり、キーボードＫＢやマウスＭＳによっていずれかの項目が選択されると、制御部２０は、当該項目に関連する複数の動作処理の中から１つを選択可能なメニュー（図示せず）を表示する。さらに、キーボードＫＢやマウスＭＳの操作により、当該メニューから１つの処理項目が選択されると、制御部２０は、選択された動作処理を実行する。
【００４７】
ツールバーＢ３には、複数のアイコンが表示されている。各アイコンは、メニューバーＢ２により選択可能な各種動作処理のうちの１つに関連付けられており、マウスＭＳのクリック動作によりアイコンを選択するだけで当該動作処理を実行可能になっている。このため、使用頻度の比較的高い動作処理に関連付けられたアイコンを、ツールバーＢ３に表示させることにより、編集作業の操作性を向上させることができる。
【００４８】
画像編集プログラムが起動した後、ユーザは、メニューバーＢ２又はツールバーＢ３により、「新規作成」、「ファイルを開く」、「レイアウトデータで作成」のいずれかの動作処理（コマンド）を選択することにより印刷画像の作成（編集）を開始することができる。
【００４９】
「新規作成」コマンドは、新たな印刷画像を一から作成するための動作処理であり、ユーザによって「新規作成」コマンドが選択されると、制御部２０は、図示しない設定用画面（ダイアログボックス）を編集用画面ＰＥ上に重畳して表示する。当該ダイアログボックス上では、印刷対象とするテープの幅や、テープの長さ、或いは、テープの向き等のテープ属性情報を設定可能になっており、ユーザによって所望の設定がなされると、制御部２０は、前記ダイアログボックスを画面上から消去するとともに、図３又は図４に示すように、編集用画面ＰＥの作業領域ＷＲ上に、設定された幅、長さ、向きのテープ外形図を表すイメージ画像ＰＴを表示する。その後、ユーザは、キーボードＫＢやマウスＭＳを用いて、イメージ画像ＰＴ上への要素（文字列や記号等）の挿入や、挿入した要素の削除や修正等、各種編集作業を行うことができる。イメージ画像ＰＴには、破線で囲まれた印刷範囲ＢＲが示されており、編集作業後にテープ印刷装置３にデータを送信すると、印刷範囲ＢＲ内に含まれる画像がテープに印刷される。
【００５０】
なお、「テープの向き」とは、作業領域ＷＲ上に表示されるテープの向きを示すものであり、ユーザは、配置しようとする画像が正規の向きで画面上に表示されるように、縦、又は横のいずれかを指定することができる。例えば、横書きの文字列を、テープの長手方向に沿って配置しようとする場合には、テープの向きを横向き（図３参照）に設定し、縦書きの文字列を、テープの長手方向に沿って配置しようとする場合には、テープの向きを縦向き（図４参照）に設定する。つまり、「テープの向き」を設定することは、「テープに対する画像の向き」を設定することと同義となる。
【００５１】
また、「ファイルを開く」コマンドは、過去に作成し、大容量記憶部２１等にファイルとして保存した編集データを読み出す動作処理である。編集データとは、テープ幅、テープ長さ、テープの向き等を表すテープ属性情報や、挿入された要素そのものを示す要素情報（文字コード等）、そして、各要素の書体やサイズ、配置（位置）、向き（横書きか縦書きか）等を表す要素属性情報を含んでいる。「ファイルを開く」コマンドが選択されると、制御部２０は、図示しないファイル選択用画面（ダイアログボックス）を編集用画面ＰＥ上に重畳して表示し、ユーザに読み出すファイルを選択させる。ファイルが選択されると、制御部２０は、当該ファイル（編集データ）を大容量記憶部２１から読み出すとともに、前記ダイアログボックスを画面上から消去して、編集用画面ＰＥの作業領域ＷＲ上に、編集データに含まれるテープ属性情報に基づいたテープ外形図と、要素情報や要素属性情報に基づいた画像とからなるイメージ画像ＰＴを再現する（図示せず）。ユーザは、読み出した編集データをそのまま利用したり、必要に応じて要素の追加や修正を施したりすることができる。
【００５２】
また、「レイアウトデータで作成」コマンドは、大容量記憶部２１等に保存されている既製のレイアウトデータを読み出す動作処理である。レイアウトデータとは、名札用やビデオテープ用等、各種用途に適した文字列や記号等が事前に入力されているサンプルデータであり、前記編集データと同様に、対応するテープ幅やテープ長さ、テープの向きを規定するテープ属性情報と、要素そのものを示す要素情報、及び各要素の書体やサイズ、配置、向き等を規定する要素属性情報等を含んでいる。この「レイアウトデータで作成」コマンドが選択されると、制御部２０は、図５に示すようなレイアウト選択用画面（ダイアログボックス）ＰＦを編集用画面ＰＥ上に重畳して表示する。
【００５３】
図５に示すように、レイアウト選択用画面ＰＦは、メニュー画面ＰＦ１とプレビュー画面ＰＦ２等で構成されている。メニュー画面ＰＦ１では、用途別に分類されるとともに、対応するテープ幅やテープの向きによって区分された複数のレイアウトデータの中から１つを指定可能になっており、マウスＭＳ等によって１つのレイアウトデータが指定されると、制御部２０は、プレビュー画面ＰＦ２に当該レイアウトデータの印刷イメージを表示する。このため、ユーザは、プレビュー画面ＰＦ２を参照しながら所望のレイアウトデータを探し出すことが可能となっている。レイアウトデータが指定された状態で、レイアウト選択用画面ＰＦ内のＯＫボタンＰＦ３がクリックされると、制御部２０は、レイアウト選択用画面ＰＦを画面上から消去するとともに、選択されたレイアウトデータを大容量記憶部２１から読み出し、図６に示すように、編集用画面ＰＥの作業領域ＷＲ上に、レイアウトデータで規定される幅、長さ、向きのテープ外形図と、レイアウトデータに含まれる要素情報や要素属性情報に基づいた画像とからなるイメージ画像ＰＴを表示する。ユーザは、レイアウトデータを利用することにより、僅かな編集作業（文字の修正等）のみで容易に所望の画像を作成することができるようになる。
【００５４】
ここで、本実施形態のテープ印刷システム１は、「新規作成」コマンドにより、印刷対象とするテープの幅やテープの向き等のテープ属性情報が設定された後、或いは、「ファイルを開く」コマンドにより、テープ属性情報が設定済みのファイルを読み出した後にも、レイアウトデータを挿入することが可能となっている。以下に、このときの動作について、図面を用いて説明する。
【００５５】
図７は、レイアウトデータを挿入する際の動作を説明するフローチャートである。
「新規作成」コマンド等により、テープ情報が設定された状態で、メニューバーＢ２やツールバーＢ３によりレイアウトデータを挿入するためのコマンドが選択されると、制御部２０は、図７に示すフローに従って動作する。なお、一例として、テープ幅は２４ｍｍ、テープの向きは縦に設定され、ディスプレイＤＳには、作業領域ＷＲに２４ｍｍ幅のテープが縦向きで示された編集用画面ＰＥ（図４参照）が表示されているものとする。
【００５６】
図７に示すように、ステップＳ１０１では、制御部２０は、「レイアウトデータで作成」コマンドの場合と同様、編集用画面ＰＥ上に、レイアウト選択用画面ＰＦ（図５参照）を表示して、所望のレイアウトデータを選択させる。
【００５７】
ステップＳ１０２では、制御部２０は、選択されたレイアウトデータで規定されるテープの向きと、ユーザによって設定されたテープの向き（縦）とが一致するか否かを判断する。一致する場合、つまり、縦向きのレイアウトデータが選択された場合には、ステップＳ１０９に移行し、一致しない場合、つまり、図５に示したように横向きのレイアウトデータが選択された場合には、ステップＳ１０３に移行する。
【００５８】
テープの向きが一致せず、ステップＳ１０３に移行した場合には、制御部２０は、設定されたテープの向き（縦）に合わせて、挿入しようとする印刷画像（横向きのサンプル画像）の全体を回転させるか否かを問い合わせるメッセージ画面（ダイアログボックス）ＰＶ１を表示する（図８参照）。メッセージ画面ＰＶ１には、「ＯＫ」、「キャンセル」と表記された２つのボタンが表示されており、ユーザは、そのいずれかをキーボードＫＢやマウスＭＳで選択可能になっている。
【００５９】
ステップＳ１０４では、制御部２０は、前記問い合わせに対して、画像全体の回転を実行する旨を表す「ＯＫ」ボタンが選択されたか否かを判断する。「ＯＫ」ボタンが選択された場合には、ステップＳ１０５に移行し、画像全体の回転を実行しない旨を表す「キャンセル」ボタンが選択された場合には、ステップＳ１１３に移行する。
【００６０】
ここで、ステップＳ１１３は、画面表示を編集用画面ＰＥに戻し、作業領域ＷＲ上に、レイアウトデータが挿入されたテープのイメージ画像ＰＴを表示させるステップである。ステップＳ１０４で「キャンセル」ボタンが選択されてステップＳ１１３に移行した場合、つまり、設定されたテープの向き（縦）と異なる向き（横）のレイアウトデータが選択され、かつ画像の回転を実行しない場合には、図９に示すように、縦に配置されたテープに横向きのサンプル画像が挿入され、画像がテープの左右からはみ出すように配置された状態となる。このため、この後ユーザは、印刷画像を構成する個々の要素（文字列や記号等）の配置や属性等を変更して印刷範囲ＢＲ内に収めるための作業を行う必要がある。
【００６１】
ステップＳ１０４において、画像全体の回転を実行する旨を表す「ＯＫ」ボタンが選択され、ステップＳ１０５に移行した場合には、制御部２０は、図１０に示すように、テープの長手方向と画像全体の長手方向とを一致させ、テープに対する画像の向きがレイアウトデータで規定されたとおりになるよう、各要素（文字列Ｌ１，Ｌ２、記号Ｓ、枠Ｆ）の要素属性情報を変更する。なお、図１０は、要素属性情報の変更内容を説明するための説明図であって、この段階で編集用画面ＰＥの作業領域ＷＲに、図１０に示したイメージ画像を表示することを意味するものではない。
【００６２】
次いで、ステップＳ１０６では、テープに対する画像（文字や記号等）の向きを個々に変更するか否かの問い合わせを行う。ここで、画像の向きとは、前述した画像全体の向きとは異なり、テープに対する個々の要素の向きであり、要素が文字列の場合には、当該文字列を構成する各文字の向きを表すものである。即ち、本ステップは、文字や記号等の横書き・縦書きを変更するか否かを問い合わせるステップであり、図１１に示すように、制御部２０は、横書きから縦書きへ（又は、縦書きから横書きへ）変更するか否かを問い合わせるメッセージ画面（ダイアログボックス）ＰＶ２を表示する。メッセージ画面ＰＶ２には、「ＯＫ」、「キャンセル」と表記された２つのボタンが表示されており、ユーザは、そのいずれかをキーボードＫＢやマウスＭＳで選択可能になっている。
【００６３】
ステップＳ１０７では、前記問い合わせに対して、画像の向きの変更を実行する旨を表す「ＯＫ」ボタンが選択されたか否かを判断する。「ＯＫ」ボタンが選択された場合には、ステップＳ１０８に移行し、実行しない旨を表す「キャンセル」ボタンが選択された場合には、ステップＳ１０９に移行する。
【００６４】
ステップＳ１０８では、制御部２０は、画像の向きの変更を実行する。具体的には、図１２に示すように、横書きから縦書きに変更する場合には、文字列Ｌ１，Ｌ２を構成する各文字や記号Ｓが反時計回りに９０°回転するようにそれぞれの要素属性情報を変更する。なお、この場合も、実際には、この段階で作業領域ＷＲに図１２に示したイメージ画像を表示することを意味するものではない。
【００６５】
ステップＳ１０９では、制御部２０は、選択されたレイアウトデータが対応するテープ幅と、ユーザによって設定されたテープ幅（２４ｍｍ）とが一致するか否かを判断する。両者が一致する場合、つまり、２４ｍｍ幅のテープに対応するレイアウトデータが選択された場合には、ステップＳ１１３に移行して編集用画面ＰＥを表示し、一致しない場合には、ステップＳ１１０に移行する。
【００６６】
テープ幅が一致せず、ステップＳ１１０に移行した場合には、制御部２０は、レイアウトデータの各要素（文字列Ｌ１，Ｌ２、記号Ｓ、枠Ｆ）の配置（割り付け）を変更するか否かを問い合わせるメッセージ画面（ダイアログボックス）ＰＶ３を表示する（図１３参照）。メッセージ画面ＰＶ３には、「ＯＫ」、「キャンセル」と表記された２つのボタンが表示されており、ユーザは、そのいずれかをキーボードＫＢやマウスＭＳで選択可能になっている。
【００６７】
ステップＳ１１１では、前記問い合わせに対して、配置の変更を実行する旨を表す「ＯＫ」ボタンが選択されたか否かを判断する。「ＯＫ」ボタンが選択された場合には、ステップＳ１１２に移行し、実行しない旨を表す「キャンセル」ボタンが選択された場合には、ステップＳ１１３に移行する。
【００６８】
ステップＳ１１２では、制御部２０は、設定されたテープ幅に合わせて各要素の配置を変更する。具体的には、図１４に示すように、例えば、設定されたテープ幅（２４ｍｍ）よりも狭いテープ幅（例えば、１８ｍｍ）に対応するレイアウトデータが選択された場合には、テープ幅方向の要素間の間隔ＧＬ１が、レイアウトデータに基づいた間隔ＧＬ０（図１２参照）よりも広くなるように各要素の属性情報を変更する。なお、設定されたテープ幅（２４ｍｍ）よりも広いテープ幅（例えば、３６ｍｍ）に対応するレイアウトデータが選択された場合には、間隔ＧＬ１が、レイアウトデータに基づいた間隔ＧＬ０よりも狭くなるように属性情報を変更する。また、外枠Ｆのテープ幅方向の間隔についても、要素間の間隔の拡大又は縮小に伴って修正する。
【００６９】
ステップＳ１１３では、制御部２０は、各種メッセージ画面ＰＶ１〜ＰＶ３やレイアウト選択用画面ＰＦを画面上から消去するとともに、前述したように、ステップＳ１０５，Ｓ１０８，Ｓ１１２で調整されたレイアウトに従ったイメージ画像ＰＴ（図１０，１２，１４参照）を編集用画面ＰＥの作業領域ＷＲに表示して、レイアウトデータを挿入する動作処理を終了する。
【００７０】
その後、ユーザが必要に応じて編集作業を行った後、メニューバーＢ２又はツールバーＢ３により「印刷」の動作処理が選択されると、制御部２０は、プリンタドライバにより編集データをドット展開し、ドット構成を表す画像データに変換した後、その画像データをＩ／Ｆ部２２を介してテープ印刷装置３に出力する。テープ印刷装置３の制御部３０は、通信部３１を介して前記画像データを入力すると、ヘッド駆動部３３及びテープ搬送駆動部３５により、それぞれサーマルヘッド３２及びテープ搬送機構３４を駆動して画像データに基づいた画像をテープに印刷する。
【００７１】
なお、本実施形態において、レイアウトデータを記憶する大容量記憶部２１は、本発明のレイアウト記憶手段に相当し、画像編集プログラムに従って各種動作を行う制御部２０と、ユーザに各種操作を促すための画面を表示するディスプレイＤＳと、ユーザの操作内容を入力するキーボードＫＢ及びマウスＭＳとが、本発明のテープ幅入力手段、画像方向入力手段、レイアウト選択手段、画像形成手段、配置変更確認手段、及び画像方向変更確認手段に相当する。
【００７２】
以上説明したように、本実施形態のテープ印刷システム１によれば、以下の効果を得ることができる。
（１）本実施形態のテープ印刷システム１によれば、情報処理システム２が、ユーザによって設定されたテープ幅と、選択されたレイアウトデータが対応するテープ幅とが異なる場合に、レイアウトデータで規定された配置を、設定されたテープ幅に応じて変更するため、印刷しようとするテープの幅とは異なるテープ幅に対応するレイアウトデータを流用する場合にも、容易に印刷画像を形成することが可能となる。
【００７３】
（２）本実施形態のテープ印刷システム１によれば、情報処理システム２が、ユーザによって設定されたテープの向きと、選択されたレイアウトデータが規定するテープの向きとが異なる場合に、レイアウトデータで規定された画像の向き（横書きか縦書きか）を、設定されたテープの向きに合わせて変更するため、テープの向きが、所望の向きとは異なる向きに規定されたレイアウトデータを流用する場合にも、容易に印刷画像を形成することが可能となる。
【００７４】
（３）本実施形態のテープ印刷システム１によれば、設定されたテープ幅に応じて画像の配置を変更したり、設定されたテープの向きに合わせて画像の向きを変更したりする前に、変更するか否かを問い合わせているため、意図しない変更がなされることを防止することが可能となる。
【００７５】
（変形例）
なお、本発明の実施形態は、以下のように変更してもよい。
・前記実施形態では、設定されたテープ幅と、選択されたレイアウトデータが対応するテープ幅とが異なる場合に、レイアウトデータで規定された配置を、設定されたテープ幅に応じて変更しているが、さらに、設定されたテープ幅に応じて画像のサイズ（フォントサイズ等）を変更し、画像の配置バランスを保つようにしてもよい。
【００７６】
・前記実施形態において、横書きと縦書きとを変更する際に、英数字については常に横書きを維持するようにしてもよい。或いは、半角（１バイト）文字については、横書きを維持し、全角（２バイト）文字のみを縦書きに変更するようにしてもよい。
【００７７】
・前記実施形態において、レイアウトデータを挿入した後のテープの長さについては、常にユーザにより設定されたテープ長さとしてもよいし、常にレイアウトデータが規定する長さに変更するようにしてもよい。或いは、レイアウトデータが規定するテープの長さが、設定されたテープ長さよりも長い場合にのみレイアウトデータが規定する長さに変更するようにしてもよい。
【００７８】
・前記実施形態では、情報処理システム２は、編集データをドット展開した画像データをテープ印刷装置３に出力するようにしているが、編集データを出力し、テープ印刷装置３でドット展開する構成としてもよい。
【００７９】
・前記実施形態では、情報処理システム２とテープ印刷装置３とからなる構成を示しているが、テープ印刷装置３に、液晶表示装置等の表示手段や、キーボード等の入力手段、画像編集プログラムや複数のレイアウトデータを記憶可能な記憶手段を備えるとともに、テープ印刷装置３の制御部３０が、画像編集プログラムに従って各種動作を実行可能なスタンドアロンの構成であってもよい。
【００８０】
・前記実施形態では、パーソナルコンピュータＰＣとテープ印刷装置３とが、ＵＳＢ規格に基づいたデータ通信を行う構成について説明しているが、両者の通信態様は前記に限定されず、有線又は無線ＬＡＮ（Local Area Network）等のネットワークを介した通信であってもよいし、ブルートゥース（Bluetooth）やＩＥＥＥ−１３９４規格に基づいた通信であってもよい。
【図面の簡単な説明】
【００８１】
【図１】テープ印刷システムの全体構成を示すブロック図。
【図２】印刷画像を作成する際の編集用画面を示す説明図。
【図３】印刷画像を横向きで作成する際の編集用画面を示す説明図。
【図４】印刷画像を縦向きで作成する際の編集用画面を示す説明図。
【図５】レイアウト選択用画面を示す説明図。
【図６】レイアウトデータが読み出された際の編集用画面を示す説明図。
【図７】レイアウトデータを挿入する際の動作を説明するフローチャート。
【図８】画像全体の回転を問い合わせるメッセージ画面を示す説明図。
【図９】テープの向きと異なる向きでレイアウトデータが挿入された際の編集用画面を示す説明図。
【図１０】画像全体を回転した際のイメージ画像を示す説明図。
【図１１】画像の向きの変更を問い合わせるメッセージ画面を示す説明図。
【図１２】画像の向きを変更した際のイメージ画像を示す説明図。
【図１３】画像の配置の変更を問い合わせるメッセージ画面を示す説明図。
【図１４】画像の配置を変更した際のイメージ画像を示す説明図。
【符号の説明】
【００８２】
１…テープ印刷システム、２…情報処理システム、３…テープ印刷装置、２０…パーソナルコンピュータの制御部、２１…大容量記憶部、２２…インターフェイス部、３０…テープ印刷装置の制御部、３１…通信部、３２…サーマルヘッド、３３…ヘッド駆動部、３４…テープ搬送機構、３５…テープ搬送駆動部、ＰＣ…パーソナルコンピュータ、ＤＳ…ディスプレイ、ＫＢ…キーボード、ＭＳ…マウス、Ｌ１，Ｌ２…文字列、Ｓ…記号、ＰＥ…編集用画面、ＰＦ…レイアウト選択用画面、ＰＴ…イメージ画像、ＰＶ１，ＰＶ２，ＰＶ３…メッセージ画面。
【図１】
2007036327.tif 000003
【図２】
2007036327.tif 000004
【図３】
2007036327.tif 000005
【図４】
2007036327.tif 000006
【図６】
2007036327.tif 000007
【図７】
2007036327.tif 000008
【図８】
2007036327.tif 000009
【図９】
2007036327.tif 000010
【図１０】
2007036327.tif 000011
【図１１】
2007036327.tif 000012
【図１２】
2007036327.tif 000013
【図１３】
2007036327.tif 000014
【図１４】
2007036327.tif 000015
【図５】
2007036327.tif 000016